(57)【要約】【課題】ヒートポンプやヒートパイプを再生エアの加熱源として利用することによって、省エネを図ることのできる除湿システムを提供する。【解決手段】除湿システム１０は、除湿ロータ１２を有し、この除湿ロータ１２の除湿ゾーンＡに給気エアが供給されて除湿処理が行われ、除湿ロータ１２の再生ゾーンＢに再生エアが供給されて除湿部材１４の再生が図られる。再生エアが流れる再生ライン２６には、ヒートポンプ３０の凝縮器３４が設けられ、この凝縮器３４によって再生エアが加熱される。【選択図】  図１
2006125670.tif 000002
【特許請求の範囲】
【請求項１】
低露点室に供給される給気エアの流路に設けられ、該給気エアを除湿部材で除湿する除湿ゾーンと、前記除湿部材に再生エアを通過させて該除湿部材を再生させる再生ゾーンとを有する除湿装置を備えた除湿システムにおいて、
前記再生エアの流路にヒートポンプの凝縮器を設け、該凝縮器によって前記再生エアを加熱することを特徴とする除湿システム。
【請求項２】
前記除湿部材をロータによって保持し、前記除湿ゾーンと前記再生ゾーンとを交互に移動させることを特徴とする請求項１に記載の除湿システム。
【請求項３】
前記給気エアの流路には前記ヒートポンプの蒸発器が設けられ、該蒸発器によって前記給気エアが冷却されることを特徴とする請求項１又２に記載の除湿システム。
【請求項４】
前記凝縮器は、前記再生エアの流路に複数設けられることを特徴とする請求項１〜３のいずれか１に記載の除湿システム。
【請求項５】
前記再生エアの流路には、電気ヒータが設けられることを特徴とする請求項１〜４のいずれか１に記載の除湿システム。
【請求項６】
前記給気エアを分流させて前記除湿部材に通過させ、該除湿部材を通過したエアを再生エアとして前記再生ゾーンに送気する分流ラインを設け、該分流ラインに前記凝縮器を設けたことを特徴とする請求項１〜５のいずれか１に記載の除湿システム。
【請求項７】
低露点室に供給される給気エアの流路に設けられ、該給気エアを除湿部材で除湿する除湿ゾーンと、前記除湿部材に再生エアを通過させて該除湿部材を再生させる再生ゾーンとを有する除湿装置を備えた除湿システムにおいて、
前記再生エアの流路にヒートパイプの凝縮部を設け、該凝縮部によって前記再生エアを加熱することを特徴とする除湿システム。
【請求項８】
前記給気エアを分流させて前記除湿部材に通過させ、該除湿部材を通過したエアを再生エアとして前記再生ゾーンに送気する分流ラインを設け、該分流ラインに前記凝縮部を設けたことを特徴とする請求項７に記載の除湿システム。
【請求項９】
前記ヒートパイプの蒸発部を、前記再生ゾーンを通過した後の再生エアの流路に設けたことを特徴とする請求項７又は８に記載の除湿システム。
【発明の詳細な説明】
【技術分野】
【０００１】
本発明は除湿システムに係り、特にリチウムイオン電池を製造するクリーンルームや、低湿度環境を必要とする産業用設備などに用いられる除湿システムに関する。
【背景技術】
【０００２】
産業用設備やクリーンルーム設備では、多量の外気を取り入れ、冷却コイル等で湿度を調節し、被空調室に供給している。このため、夏季などの外気湿度が高い時季は、冷却コイルの冷熱源に多大な負荷がかかるという問題がある。そこで、産業用設備やクリーンルーム設備では、外気の潜熱負荷を小さくするために、乾式の除湿装置を外気調和機として使用している。
【０００３】
乾式の除湿装置は、ゼオライトやシリカゲル等の除湿部材を保持した除湿ロータを有し、この除湿ロータを回転させることによって、除湿部材を給気エアの流路と再生エアの流路とに交互に通過させる。給気エアは、除湿ロータの除湿部材を通過させることによって除湿され、低露点室（被空調室）に給気される。一方、再生エアは、除湿ロータの除湿部材を通過させることによって、除湿部材に吸着した水分を脱着させ、除湿性能を回復させる。これにより、連続した除湿運転を行うことができる。
【０００４】
特許文献１には、低露点室内のエアの一部を除湿ロータに供給する除湿システムが開示されている。この除湿システムによれば、低露点室内のエアを利用して除湿を行うことによって、除湿にかかるランニングコストを低減することができる。
【特許文献１】特開２０００−７０６５７号公報
【発明の開示】
【発明が解決しようとする課題】
【０００５】
しかしながら、上述の除湿システムは、再生エアを電気ヒータによって加熱するため、消費エネルギー量が大きく、ランニングコストが高くなるという欠点があった。
【０００６】
本発明はこのような事情に鑑みて成されたもので、省エネ化を図ることのできる除湿システムを提供することを目的とする。
【課題を解決するための手段】
【０００７】
請求項１に記載の発明は前記目的を達成するために、低露点室に供給される給気エアの流路に設けられ、該給気エアを除湿部材で除湿する除湿ゾーンと、前記除湿部材に再生エアを通過させて該除湿部材を再生させる再生ゾーンとを有する除湿装置を備えた除湿システムにおいて、前記再生エアの流路にヒートポンプの凝縮器を設け、該凝縮器によって前記再生エアを加熱することを特徴とする。
【０００８】
請求項１に記載の発明によれば、ヒートポンプを用いて再生エアを加熱するので、電気ヒータを用いて加熱した場合と比べて、大幅にエネルギー効率を向上させることができ、ランニングコストを低減することができる。
【０００９】
請求項２に記載の発明は請求項１の発明において、前記除湿部材をロータによって保持し、前記除湿ゾーンと前記再生ゾーンとを交互に移動させることを特徴とする。したがって、請求項２の発明によれば、除湿ゾーンで除湿を行った除湿部材を再生ゾーンで再生させ、連続運転することができる。
【００１０】
請求項３に記載の発明は請求項１又は２の発明において、前記給気エアの流路には前記ヒートポンプの蒸発器が設けられ、該蒸発器によって前記給気エアが冷却されることを特徴とする。すなわち、請求項３の発明によれば、給気エアと再生エアとを熱交換させることによって、給気エアを冷却させ、再生エアを加熱させることができる。したがって、蒸発器による給気エアの冷却と、凝縮器による再生エアの加熱とをヒートポンプによって同時に行うことができる。これにより、エネルギー効率をさらに向上させることができ、ランニングコストをより低減することができる。
【００１１】
請求項４に記載の発明は請求項１〜３のいずれか１の発明において、前記凝縮器は、前記再生エアの流路に複数設けられることを特徴とする。したがって、請求項４の発明によれば、前記凝縮器による熱交換をより効果的に行うことができ、ランニングコストをさらに低減させることができる。
【００１２】
請求項５に記載の発明は請求項１〜４のいずれか１の発明において、前記再生エアの流路には、電気ヒータが設けられることを特徴とする。したがって、再生エアの加熱を電気ヒータとヒートポンプの両方で行うので、再生エアをより高い温度に加熱することができ、再生ゾーンの性能を向上させることができる。また、ヒートポンプと電気ヒータを併用するようにしたので、ヒートポンプによって省エネ化を図りつつ、且つ電気ヒータによって応答性の良い温度制御を行うことができる。
【００１３】
請求項６に記載の発明は請求項１〜５の発明において、前記給気エアを分流させて前記除湿部材に通過させ、該除湿部材を通過したエアを再生エアとして前記再生ゾーンに送気する分流ラインを設け、該分流ラインに前記凝縮器を設けたことを特徴とする。したがって、請求項６の発明によれば、分流ラインを流れる低温のエアを凝縮器で加熱するので、熱効率を向上させることができる。
【００１４】
請求項７に記載の発明は前記目的を達成するために、低露点室に供給される給気エアの流路に設けられ、該給気エアを除湿部材で除湿する除湿ゾーンと、前記除湿部材に再生エアを通過させて該除湿部材を再生させる再生ゾーンとを有する除湿装置を備えた除湿システムにおいて、前記再生エアの流路にヒートパイプの凝縮部を設け、該凝縮部によって前記再生エアを加熱することを特徴とする。請求項７に記載の発明によれば、動力費のかからないヒートパイプを用いて再生エアを加熱するので、ランニングコストを大幅に低減することができる。
【００１５】
請求項８に記載の発明は請求項７の発明において、前記給気エアを分流させて前記除湿部材に通過させ、該除湿部材を通過したエアを再生エアとして前記再生ゾーンに送気する分流ラインを設け、該分流ラインに前記凝縮部を設けたことを特徴とする。したがって、請求項８の発明によれば、分流ラインを流れる低温のエアをヒートパイプの凝縮部で加熱するので、熱効率を向上させることができる。
【００１６】
請求項９に記載の発明は請求項７又は８の発明において、前記ヒートパイプの蒸発部を、前記再生ゾーンを通過した後の再生エアの流路に設けたことを特徴とする。したがって、請求項９の発明によれば、再生ゾーンを通過した再生エアの廃熱を回収して再生エアの加熱に利用することができる。したがって、熱効率をさらに向上させることができ、ランニングコストを大幅に削減することができる。
【発明の効果】
【００１７】
本発明に係る除湿システムによれば、ヒートポンプ或いはヒートパイプを用いて再生エアを加熱するので、電気ヒータのみを用いて加熱した場合と比べて、エネルギー効率を大幅に向上させることができる。
【発明を実施するための最良の形態】
【００１８】
以下、添付図面に従って本発明に係る除湿システムの好ましい実施形態について説明する。図１は本発明に係る除湿システムの第１の実施形態を示す概略構成図である。
【００１９】
図１に示すように、除湿システム１０は、除湿ロータ１２を有し、この除湿ロータ１２は、不図示のモータ等の駆動手段によって、軸１６を中心として所定の速度で回転するようになっている。除湿ロータ１２には、シリカゲルやゼオライト等の除湿部材１４が保持される。
【００２０】
除湿ロータ１２の両側面の領域は、不図示のケーシングや仕切り板によって三つの領域に仕切られており、除湿部材１４は、この三つの領域を順に通過するようになっている。以下、三つの領域を、除湿部材１４の通過する順に、除湿ゾーンＡ、再生ゾーンＢ、パージゾーンＣと称す。
【００２１】
除湿ロータ１２の除湿ゾーンＡには、給気ライン（給気エアの流路に相当）１８、１８が接続されている。除湿ロータ１２の右側の給気ライン１８は不図示の低露点室に連通され、左側の給気ライン１８は外気に連通されている。外気側の給気ライン１８には、冷却コイル２０、２０が設けられ、この冷却コイル２０、２０同士の間に低露点室の室内環気が供給される。さらに、外気側の給気ライン１８にはファン２２が設けられ、このファン２２を駆動させることによって、外気が給気エアとして給気ライン１８に取り込まれる。給気ライン１８に取り込まれた給気エアは、冷却コイル２０、２０によって冷却された後、除湿ロータ１２の除湿ゾーンＡを通過し、除湿ゾーンＡの除湿部材１４によって除湿され、除湿されたドライエアが低露点室に給気される。よって、低露点室を低露点環境に保つことができる。
【００２２】
除湿ロータ１２のパージゾーンＣには、前述の給気ライン１８から分流した分流ライン２４が接続される。したがって、給気ライン１８を流れる低温のエアが分流ライン２４を介して除湿ロータ１２のパージゾーンＣに供給されるので、パージゾーンＣ内の除湿部材１４を冷却することができる。よって、除湿ロータ１２の再生ゾーンＢで加熱されて昇温した除湿部材１４を十分に冷却することができる。これにより、除湿ロータ１２の除湿ゾーンＡには、パージゾーンＣで冷却された除湿部材１４が通過するので、除湿ゾーンＡにおける除湿効率を向上させることができる。
【００２３】
除湿ロータ１２の再生ゾーンＢには、再生ライン（再生エアの流路に相当）２６、２６が接続される。再生ゾーンＢには、前述の除湿ゾーンＡやパージゾーンＣを流れる給気エアの流れ方向と反対方向に再生エアが流れるように構成される。再生ライン２６の上流側は、前述のパージゾーンＣに連通されており、パージゾーンＣを通過したエアが再生エアとして再生ライン２６に取り込まれる。また、上流側の再生ライン２６には、後述のヒートポンプ３０の凝縮器３４が設けられており、この凝縮器３４によって、再生ライン２６の再生エアが加熱される。したがって、加熱された再生エアが除湿ロータ１２の再生ゾーンＢに供給され、この再生エアの通気によって、再生ゾーンＢの除湿部材１４に吸着した水分が脱着される。これにより、除湿部材１４の除湿能力を回復させることができるので、除湿部材１４が再び除湿ゾーンＡを通過した際に、給気エアの水分が十分に吸着除去される。
【００２４】
再生ゾーンＢの除湿部材１４を通過したエアは、下流側の再生ライン２６を介して排気される。この再生ライン２６には、環気ライン２８が接続されており、環気ライン２８の先端が凝縮器３２の上流側の再生ライン２６に接続される。したがって、排気される再生エアの一部は分流され、環気ライン２８を介して再生ライン２６に戻され、再生エアとして循環利用される。このように再生エアを循環利用することで、再生エアの加熱にかかるコストを削減することができる。
【００２５】
次に本発明の特徴部分であるヒートポンプ３０について説明する。ヒートポンプ３０は主として、凝縮器３４、蒸発器３６、膨張弁３８、及び圧縮機４０によって構成されており、これらが熱媒体の循環ライン３２によって接続されている。
【００２６】
循環ライン３２には、二酸化炭素や代替えフロン等の熱媒体が循環するようになっている。循環ライン３２を循環する熱媒体は、まず、蒸発器３６において外気等と熱交換し、外気等から熱を吸収して蒸発する。そして、蒸発して昇温した熱媒体は圧縮機４０に送られ、圧縮機４０で圧縮されてさらに昇温される。こうして高温になった熱媒体は、凝縮器３４に送られ、凝縮器３４において再生ライン２６を流れる再生エアと熱交換をし、再生エアに熱を放出して凝縮する。凝縮して温度の低下した熱媒体は膨張弁３８によって膨張され、さらに低温になり、蒸発器３６に戻される。そして、蒸発器３６において、低温の熱媒体が再び外気等と熱交換することによって蒸発する。このようにして熱媒体が循環ライン３２を循環することによって、凝縮器３４では連続的に再生エアが加熱される。このようなヒートポンプ３０は熱効率が高く、例えば熱媒体として二酸化炭素を用いた場合には、ＣＯＰ（冷暖房能力を消費電力で除した値）が３程度得られ、電気ヒータ（ＣＯＰ＝１）の３倍程度の省エネ効果が得られる。
【００２７】
上記の如く構成された除湿システム１０は、再生エアの加熱源としてヒートポンプ３０の凝縮器３４を用いているので、従来装置のように電気ヒータを用いて再生エアを加熱する場合と比べて省エネを図ることができ、ランニングコストを削減することができる。
【００２８】
なお、上述した第１の実施形態は、除湿ロータ１２にパージゾーンＣを設けて、このパージゾーンＣを通過したエアを再生エアとして利用したが、このような構成に限定されるものではなく、外気や低露点室の室内環気を再生エアとして利用してもよい。また、除湿ロータ１２は、除湿ゾーンＡと再生ゾーンＢのみの構成としてもよい。
【００２９】
次に除湿システムの第２の実施形態について説明する。図２に示す第２の実施形態の除湿システムは、上流側（図２中、左側）の給気ライン１８にヒートポンプ３０の蒸発器３６、３６が設けられている。したがって、ヒートポンプ３０を駆動して熱媒体を循環ライン３２に循環させると、前述の凝縮器３４によって再生ライン２６の再生エアが加熱される一方で、蒸発器３６、３６によって給気ライン１８の給気エアが冷却される。すなわち、給気ライン１８の給気エアと再生ライン２６の再生エアを熱交換させることによって、給気エアの冷却と再生エアの加熱が同時に行われるので、システム全体の熱交換率を大幅に向上させることができる。
【００３０】
なお、上述した実施の形態は、二つの蒸発器３６、３６を設けたが、蒸発器３６の個数は１個でも或いは３個以上であってもよい。
【００３１】
次に除湿システムの第３の実施形態について説明する。図３に示す第３の実施形態の除湿システムは、図２に示した除湿システムと比較して、上流側（図３中、右側）の再生ライン２６に電気ヒータ４２が設けられている点で異なっている。電気ヒータ４２は、再生エアの流れ方向において、凝縮器３４の下流側に配設されており、凝縮器３４で加熱した再生エアを電気ヒータ４２でさらに加熱するようになっている。また、凝縮器３４と電気ヒータ４２の間には、不図示の温度センサが設けられており、この温度センサの測定値に基づいて電気ヒータ４２が制御される。
【００３２】
上記の如く構成された除湿システムによれば、凝縮器３４で加熱した再生エアを電気ヒータ４２によって加熱するので、再生エアをより高温にすることができ、再生ゾーンＢでの再生能力を向上させることができる。また、電気ヒータ４２を用いて加熱することによって、応答性の良い温度制御を行うことができる。
【００３３】
次に除湿システムの第４の実施形態について説明する。図４に示す第４の実施形態の除湿システムは、図３の除湿システムと比較して、ヒートポンプ３０の凝縮器３４が分流ライン２４に設けられている点で異なっている。したがって、分流ライン２４を流れるエアが凝縮器３４によって加熱され、パージゾーンＣを通過して再生エアとなるので、電気ヒータ４２による再生エアの加熱量を減少させることができる。また、温度の低い分流ライン２４のエアを凝縮器３４によって加熱するようにしたので、熱効率を向上させることができ、ランニングコストを削減することができる。
【００３４】
このように凝縮器３４は分流ライン２４に設けるようにしてもよい。凝縮器３４の位置は、再生エアの流路であればよく、再生ライン２６、分流ライン２４、環気ライン２８等から選択して配置することができる。
【００３５】
なお、上述した第１乃至第４の実施形態は、凝縮器３４を一つだけ設けた例であるが、複数の凝縮器３４を設けるようにしてもよい。この場合、複数の凝縮器３４を循環ライン３２で接続し、一つのヒートポンプサイクルを形成してもよいし、或いは、図５に示すように、複数のヒートポンプサイクルを形成してもよい。図５に示す除湿システムは、上流側（図５中、右側）の再生ライン２６と分流ライン２４にそれぞれ凝縮器３４が設けられるとともに、上流側（図５中、左側）の給気ライン１８に二つの蒸発器３６、３６が設けられる。そして、上流側の蒸発器３６と再生ライン２６の凝縮器３４が循環ライン３２で接続され、第１のヒートポンプ３０が構成される一方で、下流側（図５中、右側）の蒸発器３６と分流ライン２４の凝縮器３４が循環ライン３２で接続され、第２のヒートポンプ３０が構成される。このように構成された除湿システムは、各凝縮器３４、３４による冷却量や、各蒸発器３６、３６による加熱量を個別に制御することができる。したがって、より細かな温度制御を行うことができる。
【００３６】
次に除湿システムの第５の実施形態について説明する。図６に示す第５の実施形態の除湿システムは、ヒートパイプ６０を用いて再生エアを加熱する例である。ヒートパイプ６０は、内部に水又はアンモニア等の蒸発性液体を密封した管６２を有し、この管６２の両端部に凝縮部６４、蒸発部６６が設けられる。凝縮部６４は、低温のエアが流れる分流ライン２４に設けられ、蒸発部６６は、高温のエアが流れる下流側（図６中、左側）の再生ライン２６に設けられる。
【００３７】
このようにヒートパイプ６０の凝縮部６４と蒸発部６６とを配設すると、管６２内の液体は高温の蒸発部６６で蒸発して凝縮部６４に流れ、低温の凝縮部６４で放熱して液化する。そして、再生ライン２６を流れる再生エアが冷却されるとともに、分流ライン２４を流れるエアが加熱される。したがって、再生ライン２６を流れる高温の再生エアの廃熱を利用して再生エアを加熱することができるので、電気ヒータ４２での消費エネルギーを減少させることができ、エネルギー効率をさらに向上させることができる。
【００３８】
このように第５の実施形態によれば、動力の要らないヒートパイプ６０を利用して再生エアを加熱することによって、ランニングコストを削減することができる。特に、第５の実施形態では、温度差の大きい再生ライン２６のエアと分流ライン２４のエアとで熱交換させるようにしたので、非常に高い熱効率を達成することができ、ランニングコストを大幅に削減することができる。
【００３９】
なお、上述した第５の実施形態では、ヒートパイプ６０の凝縮部６４を分流ライン２４に配設したが、これに限定するものではなく、再生エアの流路であればよい。したがって、上流側（図６中、右側）の再生ライン２６に設けるようにしてもよい。同様に、ヒートパイプ６０の蒸発部６６の位置は、再生ライン２６に限定されるものではなく、例えば外部の熱源を利用してもよい。
【００４０】
次に除湿システムの第６の実施形態について説明する。図７に示す第６の実施形態は、多段式の除湿システムの例であり、第１〜第３の除湿ロータ１２Ｘ、１２Ｙ、１２Ｚを備える。第１除湿ロータ１２Ｘは除湿ゾーンＡと再生ゾーンＢを備えており、第２除湿ロータ１２Ｙと第３除湿ロータ１２Ｚは除湿ゾーンＡ、再生ゾーンＢ、及びパージゾーンＣを備える。
【００４１】
給気ライン１８、１８…は、第１除湿ロータ１２Ｘの除湿ゾーンＡ、第２除湿ロータ１２Ｙの除湿ゾーンＡ、第３除湿ロータ１２Ｚの除湿ゾーンＡを給気エアが順に通過して低露点室に供給されるように接続される。一方、再生ライン２６、２６…は、第３除湿ロータ１２Ｚの再生ゾーンＢ、第２除湿ロータ１２Ｙの再生ゾーンＢ、第１除湿ロータ１２Ｘの再生ゾーンＢを再生エアが順に通過して排気されるように接続される。
【００４２】
第２除湿ロータ１２ＹのパージゾーンＣには、第１除湿ロータ１２Ｘの除湿ゾーンＡを通過したエアを分流させる分流ライン２４が接続されており、パージゾーンＣを通過したエアは、合流ライン４４を介して再生ライン２６の再生エアに合流するようになっている。また、第３除湿ロータ１２ＺのパージゾーンＣには、第２除湿ロータ１２Ｙの除湿ゾーンＡを通過したエアを分流させる分流ライン２４が接続されており、このパージゾーンＣを通過したエアが再生エアとして再生ライン２６に流れるようになっている。
【００４３】
給気ライン１８には三つの蒸発器３６が設けられている。各蒸発器３６は、除湿ロータ１２Ｘ〜１２Ｚの上流側（図７中、左側）に配設されており、蒸発器３６で冷却したエアが除湿ロータ１２Ｘ〜１２Ｚの除湿ゾーンＡ或いはパージゾーンＣに供給される。
【００４４】
一方、再生ライン２６には三つの凝縮器３４が設けられている。各凝縮器３４は、除湿ロータ１２Ｘ〜１２Ｚの上流側（図７中、右側）に配設されており、凝縮器３４で冷却したエアが除湿ロータ１２Ｘ〜１２Ｚの再生ゾーンＢに供給される。
【００４５】
各蒸発器３６と各凝縮器３４は、循環ライン３２に接続されており、循環ライン３２を熱媒体が循環することによって、蒸発器３６で給気エアが冷却され、凝縮器３４で再生エアが加熱される。
【００４６】
上記の如く構成された除湿システムは、三つの除湿ロータ１２Ｘ〜１２Ｚによって三段階の除湿処理を行うので、例えば−１００℃以下の超低露点のエアを製造することができる。
【００４７】
また、上述した実施形態は、再生エアの加熱源としてヒートポンプ３０の凝縮器３４を用い、給気エアの冷却源として蒸発器３６を用いたので、再生エアの加熱や給気エアの冷却にかかるエネルギー消費量を削減することができる。特に、第６の実施形態のように、前記加熱源や冷却源が多数必要となる多段式の除湿システムの場合にヒートポンプ３０を利用することによって、エネルギー消費量を大幅に削減することができる。
【００４８】
なお、上述した実施形態は、三つの凝縮器３４と三つの蒸発器３６を一つのヒートポンプ３０として接続したが、これに限定するものではなく、各凝縮器３４と各蒸発器３６を個別に接続し、複数のヒートポンプサイクルを形成するようにしてもよい。
【００４９】
また、上述した実施形態は、三つの除湿ロータ１２Ｘ〜１２Ｚを設けたが、除湿ロータ１２Ｘ〜１２Ｚの個数はこれに限定するものではなく、二つ或いは四つ以上であってもよい。
【００５０】
また、凝縮器３４の位置は、図７に示した実施形態に限定されるものではなく、再生エアが流れる流路であればよい。したがって、図８に示すように分流ライン２４、２４に凝縮器３４、３４を設けるようにしてもよい。この場合には、分流ライン２４を流れる低温のエアを加熱するので熱交換率を向上させることができる。また、図９に示すように合流ライン４４に凝縮器３４を配設したり、或いは図９に点線で示すように、合流ライン４４が合流する前の再生ライン２６に凝縮器３４を配設したりしてもよい。
【００５１】
なお、上述した第６の実施形態の場合にも、ヒートポンプ３０と電気ヒータ４２（図３参照）を併用して再生エアを加熱するようにしてもよい。また、図６に示したヒートパイプ６０を利用して再生エアの廃熱を回収し、再生エアの加熱に利用するようにしてもよい。
【図面の簡単な説明】
【００５２】
【図１】本発明に係る除湿システムの第１の実施形態を示す概略構成図
【図２】本発明に係る除湿システムの第２の実施形態を示す概略構成図
【図３】本発明に係る除湿システムの第３の実施形態を示す概略構成図
【図４】本発明に係る除湿システムの第４の実施形態を示す概略構成図
【図５】図４と異なる位置に凝縮器を配置した除湿システムの概略構成図
【図６】本発明に係る除湿システムの第５の実施形態を示す概略構成図
【図７】本発明に係る除湿システムの第６の実施形態を示す概略構成図
【図８】図７と異なる位置に凝縮器を配置した除湿システムの概略構成図
【図９】図７と異なる位置に凝縮器を配置した除湿システムの概略構成図
【符号の説明】
【００５３】
１０…除湿システム、１２…除湿ロータ、１４…除湿部材、１８…給気ライン、２０…冷却コイル、２２…ファン、２４…分流ライン、２６…再生ライン、２８…環気ライン、３０…ヒートポンプ、３２…循環ライン、３４…凝縮器、３６…蒸発器、３８…膨張弁、４０…圧縮機、Ａ…除湿ゾーン、Ｂ…再生ゾーン、Ｃ…パージゾーン
【図１】
2006125670.tif 000003
【図２】
2006125670.tif 000004
【図３】
2006125670.tif 000005
【図４】
2006125670.tif 000006
【図５】
2006125670.tif 000007
【図６】
2006125670.tif 000008
【図７】
2006125670.tif 000009
【図８】
2006125670.tif 000010
【図９】
2006125670.tif 000011